(57)【要約】【課題】  調整可能なレールを備えたガントリテーブルを提供する。【解決手段】  ガントリテーブルがテーブル本体を含む。ガントリレールがテーブル本体に沿って延在し、およびガントリラックがテーブル本体に沿って延在する。ガントリテーブルは、ガントリラックに係合するピニオン歯車を含むガントリを含む。ピニオン歯車は、ガントリレール上でテーブル本体に沿って移動するようにガントリを駆動する。工具ブラケットがガントリに沿って可動である。ガントリテーブルは、第１調整棒と第２調整棒とをさらに含む。ガントリレールおよびガントリラックは、第１調整棒および第２調整棒の両方に取り付けられる。接合装置プレートが第１調整棒を第２調整棒に接合する。ガントリテーブルは、テーブル本体に対する接合装置プレートの垂直位置を調整するように構成される垂直調整装置を含む。ガントリテーブルは、テーブル本体に対する接合装置プレートの側方位置を調整するように構成された奥行調整装置をさらに含む。【選択図】なし【特許請求の範囲】
【請求項１】
ガントリテーブルであって、
テーブル本体と、
前記テーブル本体に沿って延在するガントリレールと、
前記テーブル本体に沿って延在するガントリラックと、
前記ガントリラックに係合するピニオン歯車を含むガントリであって、前記ピニオン歯車が、前記ガントリレール上で前記テーブル本体に沿って移動するように前記ガントリを駆動する、ガントリと、
前記ガントリに沿って可動である工具ブラケットと、
第１調整棒と、
第２調整棒であって、前記ガントリレールおよび前記ガントリラックが前記第１調整棒および前記第２調整棒の両方に取り付けられる、第２調整棒と、
前記第１調整棒を前記第２調整棒に接合する接合装置プレートと、
前記テーブル本体に対する前記接合装置プレートの垂直位置を調整するように構成された垂直調整装置と、
前記テーブル本体に対する前記接合装置プレートの側方位置を調整するように構成された奥行調整装置と
を含む、ガントリテーブル。
【請求項２】
前記テーブル本体が、前記接合装置プレートと整列された高さ調整パッドを含み、前記垂直調整装置が前記高さ調整パッドに位置する、請求項１に記載のガントリテーブル。
【請求項３】
前記垂直調整装置が、前記高さ調整パッドに取り付けられたジャッキングプレートと、前記接合装置プレートの前記垂直位置を調整するための、前記ジャッキングプレートを通過するねじとを含む、請求項２に記載のガントリテーブル。
【請求項４】
前記奥行調整装置が止めねじを含む、請求項３に記載のガントリテーブル。
【請求項５】
前記垂直調整装置が、ジャッキングプレートと、前記接合装置プレートの前記垂直位置を調整するための、前記ジャッキングプレートと前記接合装置プレートとの間に延在するねじとを含む、請求項１に記載のガントリテーブル。
【請求項６】
前記垂直調整装置が、偏心ブッシングであって、カム部分と、前記カム部分の中心軸からオフセットされる貫通穴とを有する偏心ブッシングを含む、請求項１に記載のガントリテーブル。
【請求項７】
前記第１調整棒を前記接合装置プレートに位置付けるための第１だぼピンと、前記第２調整棒を前記接合装置プレートに位置付けるための第２だぼピンとをさらに含む、請求項１に記載のガントリテーブル。
【請求項８】
ガントリテーブルであって、
テーブル本体と、
前記テーブル本体に沿って延在するガントリレールと、
前記テーブル本体に沿って延在するガントリラックと、
前記ガントリラックに係合するピニオン歯車を含むガントリであって、前記ピニオン歯車が、前記ガントリレール上で前記テーブル本体に沿って移動するように前記ガントリを駆動する、ガントリと、
前記ガントリに沿って可動である工具ブラケットと、
複数の調整棒であって、前記複数の調整棒が前記ガントリレールおよび前記ガントリラックを前記テーブル本体に調整可能に取り付ける、複数の調整棒と、
前記テーブル本体に対する前記複数の調整棒の側方位置を調整するように構成された複数の奥行調整装置と、
前記テーブル本体に対する前記複数の調整棒の垂直位置を調整するように構成された複数の垂直調整装置と
を含む、ガントリテーブル。
【請求項９】
複数の接合装置プレートをさらに含み、前記接合装置プレートの各々が前記調整棒の１つを前記調整棒の別の１つに接続する、請求項８に記載のガントリテーブル。
【請求項１０】
前記複数の垂直調整装置が、ジャッキングプレートと、前記ジャッキングプレートと前記接合装置プレートの１つとの間に延在するねじとを含む、請求項９に記載のガントリテーブル。
【請求項１１】
前記テーブル本体に取り付けられた複数の高さ調整パッドをさらに含み、各高さ調整パッドが前記テーブル本体と前記接合装置プレートの１つとの間に位置し、および前記垂直調整装置の１つが各高さ調整パッドに取り付けられる、請求項９に記載のガントリテーブル。
【請求項１２】
前記複数の奥行調整装置が、前記テーブル本体に対する前記複数の調整棒の前記側方位置を調整するための止めねじを含む、請求項８に記載のガントリテーブル。
【請求項１３】
前記複数の垂直調整装置が、偏心ブッシングであって、各々がカム部分と、前記カム部分の中心軸からオフセットされる貫通穴とを有する、偏心ブッシングを含む、請求項８に記載のガントリテーブル。
【請求項１４】
前記テーブル本体に沿って前記複数の調整棒を位置付けるための複数のだぼピンをさらに含む、請求項１３に記載のガントリテーブル。
【請求項１５】
プラズマ切断テーブルであって、
テーブル本体と、
前記テーブル本体に沿って延在するガントリレールと、
前記テーブル本体に沿って延在するガントリラックと、
前記ガントリラックに係合するピニオン歯車を含むガントリであって、前記ピニオン歯車が、前記ガントリレール上で前記テーブル本体に沿って移動するように前記ガントリを駆動する、ガントリと、
前記ガントリに沿って可動であるプラズマトーチブラケットと、
第１調整棒と、
第２調整棒であって、前記ガントリレールおよび前記ガントリラックが前記第１調整棒および前記第２調整棒の両方に取り付けられる、第２調整棒と、
前記第１調整棒を前記第２調整棒に接合する接合装置プレートと、
ジャッキングプレートと、
第１ねじ調整装置であって、前記ジャッキングプレートと前記接合装置プレートとの間に延在し、かつ前記ジャッキングプレートに対する前記接合装置プレートの垂直位置を調整するように構成された第１ねじ調整装置と、
第２ねじ調整装置であって、前記テーブル本体に対する前記接合装置プレートの側方位置を調整するように構成された第２ねじ調整装置と
を含む、プラズマ切断テーブル。
【請求項１６】
前記テーブル本体が、前記接合装置プレートと整列された高さ調整パッドを含み、前記ジャッキングプレートが前記高さ調整パッドに位置する、請求項１５に記載のプラズマ切断テーブル。
【請求項１７】
前記高さ調整パッドが前記テーブル本体と前記接合装置プレートとの間に位置する、請求項１６に記載のプラズマ切断テーブル。
【請求項１８】
前記第２ねじ調整装置が、前記高さ調整パッドからの前記接合装置プレートの側方オフセットを調整する、請求項１７に記載のプラズマ切断テーブル。
【請求項１９】
前記第１調整棒を前記接合装置プレートに位置付けるための第１だぼピンと、前記第２調整棒を前記接合装置プレートに位置付けるための第２だぼピンとをさらに含む、請求項１５に記載のプラズマ切断テーブル。
【発明の詳細な説明】
【技術分野】
【０００１】
関連出願の相互参照
２０１７年３月３１日に出願された米国仮特許出願第６２／４７９，４４７号明細書の利益が本明細書によって主張され、その開示は参照により本明細書に組み込まれる。
【０００２】
本発明は、ガントリテーブル、特にガントリに取り付けられた切断トーチを有するＣＮＣプラズマ切断テーブルに関する。
【背景技術】
【０００３】
ガントリへ取り付けられた切断トーチを有するＣＮＣプラズマ切断テーブルを提供することが既知である。ガントリは、トラックまたはレール上で切断テーブルの長さに沿って移動することができる。トーチは、ガントリへ取り付けられた可動クランプまたはブラケットにおいて保持される。可動クランプまたはブラケットは、トーチをガントリに沿って切断テーブルの側面間で移動させる。したがって、トーチは、ガントリが移動すると、２つの垂直方向、例えば、ガントリの長さに沿ったＸ方向およびテーブルの長さに沿ったＹ方向に可動である。
【発明の概要】
【課題を解決するための手段】
【０００４】
以下の概要は、本明細書において検討されるデバイス、システムおよび／または方法のいくつかの態様の基本的理解を提供するために簡単な概要を提示する。この概要は、本明細書において検討されるデバイス、システムおよび／または方法の広範囲に及ぶ概説ではない。重要な要素を特定すること、またはそのようなデバイス、システムおよび／もしくは方法の範囲を正確に説明することは意図されていない。その唯一の目的は、いくつかの概念を、後に示されるより詳細な説明に対する前置きとして単純化した形式で提示することである。
【０００５】
本発明の一態様によると、提供されるのはガントリテーブルである。ガントリテーブルは、テーブル本体を含む。ガントリレールがテーブル本体に沿って延在し、およびガントリラックがテーブル本体に沿って延在する。ガントリテーブルは、ガントリラックに係合するピニオン歯車を含むガントリを含む。ピニオン歯車は、ガントリレール上でテーブル本体に沿って移動するようにガントリを駆動する。工具ブラケットがガントリに沿って可動である。ガントリテーブルは、第１調整棒と第２調整棒とをさらに含む。ガントリレールおよびガントリラックは、第１調整棒および第２調整棒の両方に取り付けられる。接合装置プレートが第１調整棒を第２調整棒に接合する。ガントリテーブルは、テーブル本体に対する接合装置プレートの垂直位置を調整するように構成される垂直調整装置を含む。ガントリテーブルは、テーブル本体に対する接合装置プレートの側方位置を調整するように構成された奥行調整装置をさらに含む。
【０００６】
本発明の別の態様によると、提供されるのはガントリテーブルである。ガントリテーブルは、テーブル本体を含む。ガントリレールがテーブル本体に沿って延在し、およびガントリラックがテーブル本体に沿って延在する。ガントリテーブルは、ガントリラックに係合するピニオン歯車を含むガントリを含む。ピニオン歯車は、ガントリレール上をテーブル本体に沿って移動するようにガントリを駆動する。工具ブラケットがガントリに沿って可動である。ガントリテーブルは、複数の調整棒を含む。複数の調整棒は、ガントリレールおよびガントリラックをテーブル本体に調整可能に取り付ける。ガントリテーブルは、テーブル本体に対する複数の調整棒の側方位置を調整するように構成された複数の奥行調整装置をさらに含む。ガントリテーブルは、テーブル本体に対する複数の調整棒の垂直位置を調整するように構成された複数の垂直調整装置を含む。
【０００７】
本発明の別の態様によると、提供されるのは、プラズマ切断テーブルである。プラズマ切断テーブルは、テーブル本体を含む。ガントリレールがテーブル本体に沿って延在し、およびガントリラックがテーブル本体に沿って延在する。プラズマ切断テーブルは、ガントリラックに係合するピニオン歯車を含むガントリを含む。ピニオン歯車は、ガントリレール上でテーブル本体に沿って移動するようにガントリを駆動する。プラズマトーチブラケットがガントリに沿って可動である。プラズマ切断テーブルは、第１調整棒と第２調整棒とをさらに含む。ガントリレールおよびガントリラックは、第１調整棒および第２調整棒の両方に取り付けられる。接合装置プレートが第１調整棒を第２調整棒に接合する。プラズマ切断テーブルは、ジャッキングプレートを含む。第１ねじ調整装置がジャッキングプレートおよび接合装置プレートとの間に延在し、かつジャッキングプレートに対する接合装置プレートの垂直位置を調整するように構成される。第２ねじ調整装置が、テーブル本体に対する接合装置プレートの側方位置を調整するように構成される。
【図面の簡単な説明】
【０００８】
【図１】プラズマ切断テーブルの斜視図である。
【図２】プラズマ切断テーブルの一部の斜視図である。
【図３】プラズマ切断テーブルの一部の斜視図である。
【図４】プラズマ切断テーブルの一部の斜視図である。
【図５】プラズマ切断テーブルの一部の斜視図である。
【図６】プラズマ切断テーブルの一部の斜視図である。
【図７】プラズマ切断テーブルの一部の斜視図である。
【図８】プラズマ切断テーブルの一部の斜視図である。
【図９】偏心ブッシングの斜視図である。
【図１０】偏心ブッシングの正面図である。
【発明を実施するための形態】
【０００９】
本発明の実施形態は、ガントリテーブルまたはＣＮＣ（コンピュータ数値制御）テーブル、例えばＣＮＣプラズマ切断テーブルに関連する。ここで、本発明が図面を参照して説明され、全体を通じて同様の要素を示すために同様の参照符号が使用される。様々な図面は、ある図と別の図とで必ずしも縮尺どおりではなく、所定の図面内でも必ずしも縮尺どおりではないこと、特にコンポーネントのサイズは、図面の理解を円滑にするために任意に引かれることを理解されたい。以下の説明において、説明の目的で多くの特定の詳細が本発明の十分な理解を提供するために定められる。しかしながら、本発明は、これらの特定の詳細なしに実施され得ることが明らかであり得る。追加的に、本発明の他の実施形態も可能であり、本発明は、説明されたものと別の方法で実行および実施されることが可能である。本発明を説明する際に使用される用語および語句は、本発明の理解を促すことを目的として用いられており、限定するものとして見なされるべきではない。
【００１０】
図１は、例示的なガントリテーブルを示す。図１におけるガントリテーブルはプラズマ切断テーブル１０であり、本発明は、プラズマ切断テーブルとの関連において検討される。しかしながら、本発明の態様は、工作物でのＣＮＣ操作を実施するための他のタイプのガントリテーブルにも当てはまり、本発明は、プラズマ切断テーブルに必ずしも限定されない。
【００１１】
プラズマ切断テーブル１０は、本体１２であって、その上に工作物、例えば金属シートまたはプレートが置かれる本体１２を有する。プラズマ切断トーチ（図示せず）は、ガントリ１６に沿って往復して（例えば、Ｘ方向に）移動し得る可動工具ブラケット１４またはプラズマトーチブラケットに取り付けられる。ガントリ１６は、トラックまたはレール上で切断テーブルの本体１２の長さに沿って往復して（例えば、Ｙ方向に）移動し得る。プラズマ切断テーブル１０は、ブラケット１４およびガントリ１６の、それぞれＸおよびＹ方向の制御された動きを通じて工作物における厳密な切断を行うようにプログラムされ得る。特定の実施形態において、工具ブラケット１４は、工具を工作物に向かっておよび工作物から離れるようにＺ方向に垂直に動かすことができ、その結果、工具は３つの垂直方向に移動し得る。
【００１２】
プラズマ切断テーブル１０は、工作物に隣接して位置する上の水室と、上の水室の下に位置する下の水室とを含み得る。プラズマ切断作業中、上の水室は水で充填される。水は、上の水室がきれいにされ得るように下の水室内に排出され得る。下の水室を加圧し、水を上の水室へ戻すために圧縮空気が使用され得る。プラズマ切断テーブル１０は、圧縮空気源へ接続され得、かつ上の水室の排出および下の水室を空にすることを制御するために、弁、例えばソレノイド弁を含み得る。弁の操作は制御システムにより制御することができ、プラズマ切断テーブル１０の人間−機械インターフェイス（ＨＭＩ）１８を通じて自動的にまたは手動で行われ得る。
【００１３】
ガントリ１６は、ガントリの両側に位置するそれぞれの脚部分２０へ取り付けられる。脚部分２０は、切断テーブル１０の本体１２へ取り付けられたガントリレールに沿って移動する。図３に最もよく示されるとおり、ガントリ１６の脚部分２０は、テーブル本体に沿って延在するラック２４歯車に係合するピニオン歯車２２を含む。例示的ピニオン歯車２２は、らせん状および平歯車を含む。ガントリレール２６もテーブル本体に沿ってラック２４と略平行に延在する。レール２６はラック２４から分離していることも、ラックへ取り付けられることもできる。ガントリ１６の脚部分２０は、例えば車輪、軸受上など、レールに載って進む。モータ（図示せず）または被駆動プーリもしくは歯車が脚部分２０内に位置し得、かつピニオン歯車２２に連結される。モータ、プーリ、歯車などは、ピニオン歯車２２を駆動して、脚部分２０をラック２４およびレール２６に沿って移動させ、それによりガントリ１６をＹ方向に切断テーブル１０の長さに沿って位置付ける。切断テーブル１０の両側面は、ガントリ１６をテーブルに沿って動かすために同様のラック、ピニオンおよびレールシステムを有することができる。
【００１４】
図２を参照すると、ガントリ１６のための駆動システムは、無端ベルトと同様であるが、ガントリの脚部分２０の前方および後方側に取り付けられるベルト２８を含み得る。ベルト２８は、切断テーブル１０の両端部に位置するローラ３０上を通過し、ガントリ１６のための駆動システムの周りに巻き付く。切断テーブル１０は、ベルト２８を正しく位置付けるためにベルト案内部３２を含み得る。ベルト２８は、任意の好適な可撓性材料、例えば金属製バンド、ゴムベルトなどであり得る。ベルト２８は、ラックおよびピニオン歯車を切断動作中の直接噴霧および破片の蓄積から保護するのに役立つ。ベルト２８はまた、切断テーブル１０の作動中のラックおよびピニオンのアクセスに対する遮蔽体として機能する。ベルト２８は、図１および２に見ることができるが、図３〜７では除去されている。代替的実施形態において、ベルト２８およびローラ３０は、ガントリとともに移動しない堅固な保護装置と交換され得る。例えば、ラック２４は、レール２６の下に位置することができ、ガントリ１６の脚部分２０は、ラックおよびレールシステムの実質的に側方にまたはそれを越えて位置し得る（例えば、ピニオン２２および軸受が内部に突出してラックおよびレールに係合した状態において）。このような実施形態では、堅固な保護装置は、ラック２４およびレール２６の上に横方向に延在することができ、脚部分２０は、切断テーブル１０および堅固な保護装置に沿って保護装置のちょうど外側を往復して移動することができる。
【００１５】
ガントリ１６の最適な機械的性能のために、切断テーブル１０の両側にあるガントリ脚部分２０のためのラック２４およびレール２６は、互いに対しておよび切断テーブルの長さに対して平行に正しく整列されなければならない。切断テーブル１０は、ラックおよびレールの垂直位置、ならびにテーブルに沿った様々な調整ポイントでの切断テーブルの本体からのそれらの側方オフセットを調整するための調整システムを含む。調整システムは、図４〜１０を参照して検討される。
【００１６】
ラック２４およびレール２６は、一連の調整棒３４および接合装置プレート３６に取り付けられる。接合装置プレート３６は、調整棒３４間および調整棒の終端部に位置し、調整棒３４を切断テーブル１０の本体１２へ取り付けるのに役立つ。さらに、接合装置プレート３６は、切断テーブルの本体１２に対する調整棒３４の位置の調整を可能にする。接合装置プレート３６の位置を（例えば、上下におよび切断テーブル本体に対して出入りするように）調整することにより、調整棒３４および取り付けられたラックおよびレールシステムの最終位置が調整されかつ適切に整列され得る。代替的に、調整棒３４は、接合装置プレート３６なしで切断テーブル１０の本体１２に直接取り付けることができ、調整棒の位置への垂直および側方調整は、下で説明される接合装置プレートに対してではなく、調整棒自体上で行われ得る。
【００１７】
切断テーブル１０の各側面は、例えば２つ、３つ、４つ、５つ、６つ、７つ以上など、必要に応じて好適な数の調整棒３４を含むことができる。図示の例示的実施形態において、切断テーブル１０は、テーブルの各側面に４つの調整棒３４、５つの接合装置プレート３６（３つの接合装置プレートが調整棒間に位置し、２つの接合装置プレートが調整棒の終端部に位置する）を含む。ラック２４およびレール２６は、調整棒３４よりも長く、複数の調整棒に取り付けられる。特定の実施形態において、切断テーブル１０は、テーブルの各側面に単一のラック２４および単一のレール２６を有し、単一のラック２４およびレール２６は、その側面にある調整棒３４の各々におよび存在する場合には接合装置プレートに取り付けられる。
【００１８】
特定の実施形態において、切断テーブル１０の本体１２は、一連の高さ調整パッド３８であって、それに対して接合装置プレート３６が取り付けられた一連の高さ調整パッド３８を含む。切断テーブルの本体１２に対する高さ調整パッド３８の位置は固定され得る（すなわち調整可能ではない）。高さ調整パッド３８は、任意の好適な方式で、例えば溶接により、または適切な締結具（例えば、ボルト締め、ねじ止めなど）の使用を介して本体１２に取り付けられ得る。各高さ調整パッド３８は、接合装置プレート３６と整列され、かつテーブル本体１２と対応する接合装置プレートとの間に位置する。
【００１９】
切断テーブル１０は、テーブル本体１２に対する調整棒３４（したがって、取り付けられたラック２４およびレール２６）の側方位置を調整するための複数の奥行調整装置４２を含む。図示の実施形態において、接合装置プレート３６は奥行調整装置４２を含み、奥行調整装置４２は、接合装置プレートの側方位置、例えば高さ調整パッド３８からのそれらのオフセットを設定する。奥行調整装置４２は、高さ調整パッド３８と接触し、接合装置プレートを高さ調整パッド３８から外向きに押すために接合装置プレート３６へ挿通され得るねじ調整装置（例えば、止めねじ）であり得る。したがって、接合装置プレート３６は、高さ調整パッド３８および切断テーブル１０の本体１２に対して、奥行調整装置４２を介して内向きおよび外向きに移動し得る。奥行調整装置４２は、接合装置プレート３６を、例えば小さいボールねじ、調整可能なウェッジまたはシムなどの高さ調整パッド３８に向かっておよびそれから離れるように移動させるのに好適な任意の形態をとり得る。
【００２０】
切断テーブル１０は、テーブル本体１２に対する調整棒３４（したがって、取り付けられたラック２４およびレール２６）の垂直位置を調整するための複数の垂直調整装置をさらに含む。図４〜８に示された実施形態において、ジャッキングプレート４０が高さ調整パッド３８に取り付けられ、かつ接合装置プレート３６およびそれらの取り付けられた調整棒３４の垂直位置を調整するために使用される。ジャッキングプレート４０は、接合装置プレート３６を高さ調整パッド３８に沿って上昇および下降させる１つまたは複数の垂直アクチュエータ４４を含む。垂直アクチュエータ４４は、ジャッキングプレートに対する接合装置プレート３６の垂直位置を調整するために、ジャッキングプレート４０から延在し得、かつジャッキングプレート４０に向かって後退し得る。垂直アクチュエータ４４は、例えば止めねじ、押えねじなどのねじ調整装置の形態であり得、その上に接合装置プレート３６が据えられる。奥行調整装置４２と同様に、垂直アクチュエータ４４は、接合装置プレート３６を高さ調整パッド３８に対して上向きおよび下向きに移動させるのに好適な任意の形態をとり得る。垂直アクチュエータ４４は、ジャッキングプレート４０と接合装置プレート３６との間に延在し、図示のとおりジャッキングプレートを通過し得る。例えば、垂直アクチュエータ４４は、ジャッキングプレート４０におけるねじ穴を通過し得る。
【００２１】
接合装置プレート３６が奥行および垂直調整装置を調整することにより適切に位置付けられた後、高さ調整パッド３８での接合装置プレート３６の位置は、接合装置プレートを高さ調整パッドへねじ止めまたはボルト締めすることにより固定される。押えねじ４６が、接合装置プレート３６を高さ調整パッド３８へ固定するために例示的実施形態において示されている。押えねじ４６のための接合装置プレート３６における貫通穴は、高さ調整パッド３８での接合装置プレート３６の位置付けに対応するために、いくらかの「遊び」を提供するように僅かに大きすぎるサイズであり得る。
【００２２】
ガントリのための調整棒３４ならびにラックおよびレールシステムは、接合装置プレートの調整中、典型的には接合装置プレート３６へ接続される。図８において最もよく見えるとおり、調整棒３４および接合装置プレート３６は、ラックおよびレールシステムを調整棒および接合装置プレートへ取り付けるためのねじ穴４８を含み得る。ラックおよびレールシステムは、図８に示されていない。調整棒３４および接合装置プレート３６へ取り付けられたラック２４およびレール２６システムは、図５に見ることができる。調整棒３４の垂直および側方位置は、ラック２４およびレール２６が実質的に直線であり、かつテーブル本体１２に対しておよび互いに平行であることを確実にするように調整され得る。
【００２３】
上で検討されたジャッキングプレートおよびねじシステムに対する代替的な垂直調整装置が図９および１０に示されている。図９および１０は、接合装置プレート３６および／または調整棒３４を上昇／下降させるために回転し得る偏心ブッシング６０を示す。偏心ブッシング６０は、ヘッド６２と、貫通穴６４と、カム部分６６とを有する。貫通穴６４は、カム部分の中心軸６８からオフセットされている。接合装置プレートを固定するための上で検討されたねじ、例えば押えねじ４６は、貫通穴６４を通過する。偏心ブッシング６０がヘッド６２を介して回転されると、カム部分６６は、接合装置プレート３６および／または調整棒３４を上昇または下降させる。貫通穴６４（例えば、押えねじ４６）を通過するねじは、偏心ブッシング６０の位置を固定するために締められ得る。
【００２４】
図８を参照すると、調整棒３４は、接合装置プレート３６に任意の好適な方法で取り付けられ得る。図示の例示的実施形態において、調整棒３４は接合装置プレート３６よりも厚く、接合装置プレートと重なり合うＬ字形端部を有するように形成される。調整棒３４は、調整棒の重なり合う部分を通じて接合装置プレート３６に取り付けられる。調整棒３４は、例えば、重なり合う部分を通じて接合装置プレート３６へねじで取り付けられ得る。接合装置プレート３６は、調整棒３４を接合装置プレート上に位置付けるためのだぼピン５０をさらに含み得る。代替的にまたは追加的に、だぼピン５０は、テーブル本体に沿って調整棒３４を位置付けるためにテーブル本体１２に位置し得る。調整棒３４を接合装置プレート３６に取り付けるねじ５２は、接合装置プレートの位置が調整される間、緩んだままであり得る。奥行４２および垂直４０、４４調整装置を調整することにより接合装置プレート３６が適切に位置付けられた後、調整棒３４を接合装置プレートに取り付けるねじ５２が締められ得る。
【００２５】
本開示は一例としてのものであること、および本開示に含まれる教示の公正な範囲から逸脱することなく、詳細を追加、修正、または除去することにより様々な変形形態がなされ得ることは明らかであるはずである。したがって、本発明は、以下の特許請求の範囲が必然的にそのように限定される範囲を除き、本開示の特定の詳細に限定されない。
【符号の説明】
【００２６】
１０  プラズマ切断テーブル
１２  テーブル本体
１４  可動工具ブラケット
１６  ガントリ
２０  脚部分
２２  ピニオン歯車
２４  ラック
２６  ガントリレール
２８  ベルト
３０  ローラ
３２  ベルト案内部
３４  調整棒
３６  接合装置プレート
３８  高さ調整パッド
４０  ジャッキングプレート
４２  奥行調整装置
４４  垂直アクチュエータ
４６  押えねじ
４８  ねじ穴
５０  だぼピン
５２  ねじ
６０  偏心ブッシング
６２  ヘッド
６４  貫通穴
６６  カム部分
６８  中心軸
【図１】
2018171654.tif 000002
【図２】
2018171654.tif 000003
【図３】
2018171654.tif 000004
【図４】
2018171654.tif 000005
【図５】
2018171654.tif 000006
【図６】
2018171654.tif 000007
【図７】
2018171654.tif 000008
【図８】
2018171654.tif 000009
【図９】
2018171654.tif 000010
【図１０】
2018171654.tif 000011
【外国語明細書】
2018171654000001.pdf